(57)【要約】【課題】多種多様な機能物品を簡単な作業で取り付けることができ、下方からの衝撃力や大きな荷重等が作用してもずれたり外れたりすることなく安定して支持できる壁面用ハンガーレールユニットを提供する。【解決手段】壁面用ハンガーレールユニット１は、長尺のハンガーレール２と、ハンガーレール２の裏面側と壁面９とに取り付けられハンガーレール２と壁面９との間に隙間を確保する支持ブラケット３と、ハンガーレール２に取り付けられる各種機能物品（棚４，天板５）とで構成される。ハンガーレール２の裏面側に、機能物品４，５を支持する支持片２４，２５を備えた係止溝２２が長手方向に沿って設けられ、係止溝２２の内側に、機能物品４，５の係止部４１，５１を係止する係止片１２を備えた弾性体レール１０が嵌装されている。【選択図】図４
2008307358.tif 000002
【特許請求の範囲】
【請求項１】
長尺のハンガーレールと、前記ハンガーレールの裏面側と壁面とに取り付けられ前記ハンガーレールと前記壁面との間に隙間を確保する支持ブラケットと、前記ハンガーレールに取り付けられる各種機能部品とからなる壁面用ハンガーレールユニットにおいて、
前記ハンガーレールの裏面側に、前記機能部品を支持する支持片を備えた係止溝が長手方向に沿って設けられ、前記係止溝の内側に、前記機能部品の係止部を受け入れる受止溝が形成されるとともに係止部を係止する係止片を備える弾性体レールが嵌装されていることを特徴とする壁面用ハンガーレールユニット。
【請求項２】
前記弾性体レールの係止片が前記支持片との間に空隙を設けて嵌装され、前記係止片は、先端に内向きの係止突起を有するとともに前記支持片の水平方向へ可撓性を有することを特徴とする請求項１に記載の壁面用ハンガーレールユニット。
【請求項３】
前記弾性体レールの前記係止片に、上下方向に可撓性を有する弾性片が内向きに対向突設されていることを特徴とする請求項１に記載の壁面用ハンガーレールユニット。
【請求項４】
前記弾性体レールの係止片には、先端に前記受止溝の内側に向かって弾性突出する突片が備えられることを特徴とする請求項１に記載の壁面用ハンガーレールユニット。
【請求項５】
前記弾性体レールは、係止溝の上下方向に分割される一方、前記ハンガーレールには前記弾性体レールを係止するストッパー部が備えられることを特徴とする請求項１〜４のいずれか記載の壁面用ハンガーレールユニット。
【発明の詳細な説明】
【技術分野】
【０００１】
本発明は、壁面に取り付けられたレールにフックや棚等の各種機能部品を取り付けて構成される壁面用ハンガーレールユニットに関するものである。
【背景技術】
【０００２】
従来、壁面に取り付けられた長尺のハンガーレールに、フックや棚等の各種機能部品を、引掛け、吊持、係合等により支持して取り付けることが行われている。このような方法で各種機能部品を支持することにより、壁面等の内装材に大規模な改造を加えることなく、壁面の任意の場所に各種機能部品を取り付けることができる。
【０００３】
このような壁面用ハンガーレールユニットは、各種機能部品のハンガーレールへの取付部が外から見えると、室内に煩雑な印象を与え、外観上好ましくない。そのため、レールの裏面側に各種機能部品を取り付ける方法が提案され、例えば特許文献１及び特許文献２に開示されている。
【０００４】
特許文献１には、壁面と離間して配置されたハンガーレールの裏側に設けた係止フックに、小物保持体等の機能部品の上部に設けた折り返し片を係止することにより、機能部品が取り付けられるものが開示されている。また、特許文献２には、壁面に取り付けた支持部材に下向きに開口して形成されたフック係合部に、機能部品を挿入し、係合部の一部または全体を変形させることにより機能部品が取り付けられるものが開示されている。
【特許文献１】特許第２８７５６５４号公報
【特許文献２】特開２００４−７３６５８号公報
【発明の開示】
【発明が解決しようとする課題】
【０００５】
ところが、特許文献１に開示された構造によれば、折り返し片が上方にずれやすいため、機能部品の下方から上向きの衝撃力が作用すると、がたつきが生じやすい。また、特許文献２に開示された構造によれば、機能部品の下方から衝撃力が作用した場合、取付部に取り付け時と逆方向の力が作用してずれやすい。
【０００６】
更に、上記特許文献１及び２に開示された構造は、いずれも、機能部品に下向きの大きな荷重がかかった場合に、十分に安定して支持することが困難であるという問題がある。
【０００７】
本発明は、このような従来の問題点を考慮してなされたものであり、多種多様な機能部品を簡単な作業で取り付けることができ、下方からの衝撃力や大きな荷重等が作用してもずれたり外れたりすることなく安定して支持できる壁面用ハンガーレールユニットの提供を目的とする。
【課題を解決するための手段】
【０００８】
上記問題を解決するため、本発明に係る壁面用ハンガーレールユニットは、特許請求の範囲の請求項１〜５に記載の手段を採用する。
【０００９】
請求項１の発明は、長尺のハンガーレールと、前記ハンガーレールの裏面側と壁面とに取り付けられ前記ハンガーレールと前記壁面との間に隙間を確保する支持ブラケットと、前記ハンガーレールに取り付けられる各種機能部品とからなる壁面用ハンガーレールユニットにおいて、前記ハンガーレールの裏面側に、前記機能部品を支持する支持片を備えた係止溝が長手方向に沿って設けられ、前記係止溝の内側に、前記機能部品の係止部を受け入れる受止溝が形成されるとともに係止部を係止する係止片を備える弾性体レールが嵌装されていることを特徴とする。
【００１０】
この構成によると、弾性体レールがハンガーレールの係止溝に嵌め込んで積層される。ハンガーレールの係止溝には内壁幅方向の略全域で長尺方向にわたって弾性体レールが一体的に取り付けされている。弾性体レールの受止溝に機能部品の係止部を受け入れ、係止片によって係止部を係止することになる。
【００１１】
請求項２の発明は、請求項１の発明において、前記弾性体レールの係止片が前記支持片との間に空隙を設けて嵌装され、前記係止片は、先端に内向きの係止突起を有するとともに前記支持片の水平方向へ可撓性を有することを特徴とする。
【００１２】
この構成によると、機能部品の係止部が、係止片を支持片の間隙方向へ開いた状態で係止突起を通過して取り付けられる。係止片を押す力が解除されると、係止片は弾性復帰して元の位置に戻り、係止突起が抜け止めの役割を果すこととなる。
【００１３】
請求項３の発明は、請求項１の発明において、前記弾性体レールの前記係止片に、上下方向に可撓性を有する弾性片が内向きに対向突設されていることを特徴とする。
【００１４】
この構成によると、機能部品の係止部が、弾性片を下方へ撓ませた状態で通過し、取り付けられる。弾性片を押す力が解除されると、弾性片は弾性復帰して元の対向位置に戻るので、係止部が容易に外れることがない。
【００１５】
請求項４の発明は、請求項１の発明において、前記弾性体レールの係止片には、先端に前記受止溝の内側に向かって弾性突出する突片が備えられることを特徴とする。
【００１６】
この構成によると、機能物品の係止部が、突片を係止片に押し付けた状態で突片を通過して取り付けられる。突片を押す力が解除されると、突片は弾性復帰して元の位置に戻り、突片が抜け止めの役割を果たすこととなる。
【００１７】
請求項５の発明は、請求項１〜４のいずれか記載の発明において、係止溝の上下方向に分割される一方、前記ハンガーレールには前記弾性体レールを係止するストッパー部が備えられることを特徴とする。
【００１８】
この構成によると、ハンガーレールの係止溝の上部側と下部側に、分割された弾性体レールがそれぞれ嵌め込まれて取り付けられる。
【発明の効果】
【００１９】
本発明によると、弾性体レールの弾性を利用して機能部品が係止されるので、下方から力が作用しても係止部が外れ難くできる。また、機能部品に大きな荷重がかかった場合には、弾性体レールが板厚方向に適宜撓み、機能部品の係止部の先端を支持することができ、特に、長尺方向の一部位に集中荷重が生じても長尺方向に亘って分散可能にでき、機能部品として取り付け可能な部品の用途範囲を広げることができる。
さらに、弾性変形させることにより係止部を着脱できるので、機能部品の着脱作業を容易にすることができる。さらにまた、弾性体レールを現場で嵌め込むことができるうえに、弾性体レールの長尺寸法を現場で容易に切断などして調整することができる。
【発明を実施するための最良の形態】
【００２０】
以下、本発明の第１の実施の形態を、図を参照して説明する。
【００２１】
図１〜図７は、本発明に係る壁面用ハンガーレールユニットの第一の実施の形態を示す。図１は分解断面図であり、図２及び図３は機能部品の取付手順を示し、図４は各部材が取り付けられた状態を示す。図５〜図７は、機能部品を取り付ける際の各段階における係止部分の拡大図である。尚、本明細書中において、各部材の壁面９側を裏面側とし、壁面９と反対の室内側を表面側とする。
【００２２】
壁面用ハンガーレールユニット１は、ハンガーレール２、支持ブラケット３、ハンガーレール２内に嵌装される弾性体レール１０、及び、用途によりハンガーレール２に取り付けられる各種機能部品により構成される。本実施形態では、機能部品は、ハンガーレール２の下部に取り付けられる棚４及び上部に取り付けられる天板５である。
【００２３】
ハンガーレール２は、例えば６００ｍｍ〜４０００ｍｍ程度の長さの長尺部材であり、アルミ等の金属を材料として押出成型により製造される。ハンガーレール２の裏面には、支持ブラケット３を取り付けるための中央係止溝２１と、各種機能部品を取り付けるための係止溝２２が設けられている。中央係止溝２１及び係止溝２２は、ハンガーレール２の長手方向に沿って、幅方向中央に中央係止溝２１が形成され、その上下に２つの係止溝２２，２２が形成されており、係止溝２２の底２７には受溝２８が形成されている。中央係止溝２１の開口側には、上下に抜止片２３，２３が設けられている。係止溝２２の開口側には、それぞれハンガーレール２の内側（中央寄り）の支持片２４と外側の支持片２５が設けられている。内側及び外側の支持片２４，２５を上下対称形とし、ハンガーレール２全体の断面形状を上下対称形とすることにより、上下いずれの向きでも設置可能であり、施工作業が容易になる。尚、係止溝２２の数は２つに限定されるものではなく、用途や規模により適宜増減可能であるが、上下対称位置に配置することが好ましい。また、ハンガーレール２の表面には、施工等のための溝は不要であるが、意匠設計として、表面に凹凸模様等が施される場合がある。
【００２４】
弾性体レール１０は略Ｃ形の長尺部材であり、通常、ハンガーレール２の全長に亘って嵌装される。弾性体レール１０は、例えばＡＢＳ樹脂等の合成樹脂を材料として用いられる。弾性体レール１０の幅（図の上下方向）寸法は、ハンガーレール２の係止溝２２の幅とほぼ同じ寸法である。弾性体レール１０には、後述する係止部４１を受け入れる受止溝１０４が形成されている。弾性体レール１０の全体の厚さ（図の左右方向）寸法は、係止溝２２の深さよりも小さく、開口側には上下に係止片１２が設けられている。弾性体レール１０の係止片１２の先端には、内側に向けて膨らんだ係止突起１３が形成されている。係止突起１３は、開口側に傾斜案内面１３ａが形成され、内側に抜け止め機能する抜け止め面１３ｂが形成されている。
また、弾性体レール１０の底面１１に、長手方向に小突条１４が設けられている。小突条１４は、弾性体レール１０の幅方向の中央に設けられる。
【００２５】
支持ブラケット３は、ブラケット本体３１、係止板３５、ねじ部材３７、カバー３８により構成される。ブラケット本体３１は、ねじ３９により壁面９に固定される基面３２と、基面３２の中央から表面方向に適宜寸法突出した支柱部３３とを備える。支柱部３３の突出寸法により、ハンガーレール２と壁面９との隙間寸法が決定される。支柱部３３は断面略コ字状を呈し、表面側上部の先端には、ハンガーレール２の中央係止溝２１に係止される突部３４が突出形成されている。支柱部３３の上側面に上下方向に雌ねじが形成され、ねじ部材３７が螺合される。係止板３５は、略矩形の板状を呈し、ねじ部材３７が螺合される雌ねじが形成されている。係止板３５の表面側に、ハンガーレール２の中央係止溝２１に係止される突部３６が形成されている。
【００２６】
カバー３８は、ブラケット本体３１の外側面を覆うものであり、基面３２を壁面９へ取り付けるねじ３９の頭部やねじ部材３７等の視覚的露出を遮るとともに、防水等の機能を有する。
【００２７】
以下、機能物品の例である棚４と天板５を示す。
棚４は、各種物品を載置する機能部品として用いられ、ハンガーレール２の下側に取り付けられる。棚４の表面側上部に、下向きの鉤状の係止部４１が設けられている。前記係止部４１は裏面側に立ち上がり部４２を有し、表面側の先端部には、曲面状に膨らんだ係止突部４３を有している。立ち上がり部４２の表面側には小突起４５が形成されている。棚４全体の断面は略コ字形であり、垂直方向に背面部４７を有し、棚面４８を有する。
【００２８】
天板５は、ハンガーレール２の上側に取り付けられ、上部棚として用いたり、例えば板部５６を透明材として照明効果等のための機能部品として用いられる。天板５の台座部５５に、下向きの鉤状の係止部５１が設けられる。係止部５１の構造は、棚４の係止部４１と同様である。
【００２９】
ハンガーレール２を施工する手順の概要は、以下の通りである。
【００３０】
先ず、弾性体レール１０を、ハンガーレール２の全長と同じ長さ、或いは適宜長さに切断し、上下の係止溝２２にそれぞれ嵌装させ、長尺方向に亘って積層する。弾性体レール１０は略Ｃ字状の嵌め込みされ、ハンガーレール２の上下の係止溝２２と受溝２８との嵌装によって位置決めされて一体化している。
表面側の底面１１を係止溝２２の底２７に密着させて嵌装すると、ハンガーレール２の支持片２４，２５と弾性体レール１０の係止片１２との間に空隙２０が形成される。弾性体レール１０は弾性を有する合成樹脂により成形された弾性体であるため、係止片１２を裏面側へ押すと支持片２５，２４の方へ撓み、押す力を解除すると、係止片１２は弾性復帰して元の位置に戻り、再び空隙２０が形成される。このとき、小突条１４は、ハンガーレール２の係止溝２２の底２７に形成された受溝２８にはめ込まれ、弾性体レール１０の底面１１を係止溝２２の底２７に当接させて位置決めされる。なお、必要に応じて接着剤を用いて弾性体レール１０の底面を一体化しても良い。
【００３１】
次に、支持ブラケット３を壁面９に取り付ける。則ち、係止板３５及びねじ部材３７を取り付けたブラケット本体３１を、ねじ３９により壁面９に固定し、ブラケット本体３１にカバー３８を被せる。
【００３２】
その後、支持ブラケット３にハンガーレール２を取り付ける。ハンガーレール２の中央係止溝２１の内部に、支柱部３３及び係止板３５の突部３４，３６を挿入し、ねじ部材３７を回す。ねじ部材３７を回すことにより、係止板３５が下側に引き寄せられ、突部３４，３６全体が拡径する。突部３６が中央係止溝２１の下端に当接し、突部３４の上端から突部３６の下端までの上下寸法が中央係止溝２１の幅と一致するまでねじ部材３７を回す。こうして、ハンガーレール２が支持ブラケット３に取り付けられる。尚、このハンガーレール２と支持ブラケット３との取付方法は一例であり、支持ブラケット３の構造及びハンガーレール２への取付方法は、上記の例に限るものではない。
【００３３】
以下、図２〜図７に従って、棚４及び天板５をハンガーレール２に取り付ける手順を説明する。
【００３４】
棚４の係止部４１は、ハンガーレール２の下側の係止溝２２の下側（外側）の支持片２５に係止され、天板５の係止部５１は、ハンガーレール２の上側の係止溝２２の下側（内側）の支持片２４に係止される。
図２に示すように、棚４及び天板５のそれぞれの係止部４１，５１をハンガーレール２の裏面側に配置させ、棚４は表面側が高くなる方向、天板５は表面側が低くなる方向に少し傾ける。この状態で、係止部４１，５１の係止突部４３，５３を係止溝２２内に挿入する。図５は図２のＡ部の拡大図であり、図５に示すように、係止突部４３により係止片１２を裏面側へ押し、係止片１２を撓ませる。
【００３５】
その状態から、棚４及び天板５を、それぞれ係止部４１，５１を中心として、図２に示す矢印の方向に回転させる。これにより、裏面側へ撓んだ係止片１２の係止突起１３を各係止部４１，５１の係止突部４３，５３が通過する。このとき、図３に示すように、棚４及び天板５の背面部４７，５７をそれぞれ壁面９に当接させ、棚４及び天板５を水平に保つ。図６は図３のＢ部の拡大図であり、図６に示すように、係止突部４３が係止突起１３よりも下方へ押し込まれると、係止片１２を裏面側へ押す力が解除されるので、係止片１２は弾性復帰して元の位置に戻り、空隙２０が再び形成される。
【００３６】
図３に示すように係止突部４３，５３が係止突起１３よりも下方へ挿入されると、棚４及び天板５は、自重により、または図３の矢印方向に押し込むことにより、係止部４１，５１と支持片２５，２４の先端または弾性体レール１０の側部１５との上下方向の隙間がなくなるまで下がる。こうして、係止部４１，５１が支持片２５，２４及び係止片１２に係止され、棚４及び天板５が、図４に示す状態に取り付けられる。
【００３７】
また、係止部４１の立ち上がり部４２の小突起４５は、ハンガーレール２の支持片２５の裏面側に形成された切欠部２６に係合される。小突起４５の係合により係止部４１が正しい位置に取り付けられたことが確認できる。
【００３８】
このようにして取り付けられた棚４及び天板５に、下方から上向きの力が作用しても、図３（図６）の状態まで僅かに上方へずれるだけで、係止部４１，５１が容易に外れることはない。図６の状態で、係止部４１の先端面４４と弾性体レール１０の側部１５との上下方向の隙間は１ｍｍ程度である。棚４及び天板５を取り外す際には、上記の逆の手順で、容易に外すことができる。則ち、１ｍｍ程度持ち上げ、図２の矢印の反対方向に回転させると、係止突部４３，５３が係止片１２から外れる。
【００３９】
また、棚４に荷重がかかった場合には、図７に示すように、係止部４１の先端面４４が弾性体レール１０の側部１５を押さえ付け、弾性体レール１０が板厚方向に適宜弾性変形して係止部４１を確実に支持する。
【００４０】
棚４は、背面部４７が壁面９に当接していることにより、棚４に下方から衝撃力が作用しても自然に回転することがないので、更に係止部４１が外れにくくなる。尚、棚４は、ハンガーレール２の長手方向（図面に対して垂直方向）に適宜幅を有するが、同様の縦断面形状で幅を例えば１０ｍｍ程度と小さくすれば、物品を表面側から引っ掛けるフックとして用いることができる。
【００４１】
また、天板５は、図４に示すように、台座部５５の表面側がハンガーレール２の支持片２５に当接し、板部５６の下面がハンガーレール２の上端面に当接する。このように、天板５が複数個所で支持されることにより、天板５の下方から衝撃力が作用しても天板５が自然に回転することがなく、更に係止部５１が外れにくくなる。
【００４２】
図８は、本発明のハンガーレール２に異なる機能部品を取り付けた例である。インナーフック６は物品を引っ掛けるものであり、ハンガーレール２の裏面側に取り付けられる。
インナーフック６には、上部一端に下向きの鉤状の係止部４１が設けられている。この係止部４１の構成は、前述の棚４の係止部４１と同様であり、ハンガーレール２の下側の係止溝２２の下側（外側）の支持片２５に係止され、その係止方法も前述の棚４と同様である。また、インナーフック６の上部他端には突部６１が形成されており、係止部４１と突部６１の間に棚面６２を有する。
本発明は、下方から衝撃力が作用しても外れにくい構造であるため、図８に示すように、係止部４１による係止のみで、安定して使用できる。
【００４３】
また、図９は、更に異なる機能部品を取り付けた例である。
ハンガーレール２の裏面に配線する際に電気コード等を通すコードクリップ７を取り付けたものである。コードクリップ７は、弾性体からなり、一端に略Ｃ字形のコード支持部７３を有する。コード支持部７３の開口部の上下には、外側に向かって係止部７１が設けられている。コードクリップ７の他端７２は壁面９に当接され、ねじ等で固定される。コード支持部７３のハンガーレール２への取り付けは、コード支持部７３の開口部を縮径させて、ハンガーレール２の係止溝２２に挿入した後、拡開させ、ハンガーレール２の係止溝２２の上下両側の支持片２４，２５内側の平坦面に、上下の係止部７１をそれぞれ係止させることによって行う。
このとき、コードクリップ７の係止部７１は弾性体レール１０には係止させない。この場合、図示するように、ハンガーレール２の支持片２４，２５の先端を、弾性体レール１０の係止片１２の先端よりも上下方向に突出させることにより、係止部７１を係止溝２２に支障なく取り付けることができる。
【００４４】
図１０は、機能部品の係止部及び弾性体レールの第２の実施形態を示す拡大断面図である。（Ａ）は係止部８１をハンガーレール２へ取り付ける際の初期の状態、（Ｂ）は係止途中の状態、（Ｃ）は係止された状態を示す。
【００４５】
弾性体レール１０の係止片１２には、先端と、その対向位置に、それぞれ弾性片１６が設けられている。弾性片１６は、いずれも内側に向かって突出形成され、上下方向に弾性を有している。則ち、弾性片１６は、下方に押すことによって下向きに撓み、押す力を解除すると弾性復帰して元の位置に戻る。また、側部には、受面１７が形成されている。
【００４６】
係止部８１は、略コ字状を呈し、裏面側に立ち上がり部８２を有し、表面側の先端部に係止突部８３を有している。楔形状の係止突部８３の先端面８４はく字状に屈曲しており、弾性体レールの受面１７に嵌合する形状となっている。
【００４７】
この係止部８１をハンガーレール２に取り付ける際は、先ず、図１０（Ａ）に示すように、係止部８１の係止突部８３により、弾性体レール１０の弾性片１６を下方に押して、弾性片１６を下向きに撓ませる。係止突部８３が弾性片１６を通過し終わると、図１０（Ｂ）に示すように弾性片１６は元の位置に戻る。その後、係止部８１を備えた機能部品８の自重によって、係止部８１が図１０（Ｃ）の位置まで下がり、係止部８１がハンガーレール２に取り付けられる。
【００４８】
図示するように、本実施形態では、係止突部８３の先端面８４がく字状に屈曲し、弾性体レール１０の受面１７に嵌合する形状を呈していることにより、係止部８１が取り付けられた後、図の左右方向へずれることがない。また、機能部品８に荷重がかかったときに、先端面８４が受面１７を押し付け、弾性体レール１０が板厚方向に適宜弾性変形し、機能部品８が安定して支持される。
【００４９】
このようにして取り付けられた機能部品８に、下方から上向きの力が作用しても、図１０（Ｂ）の状態まで僅かに上方へずれるだけで、係止突部８３が弾性片１６に引っ掛かるために、容易に外れることはない。
【００５０】
図１１は、ハンガーレール及び弾性体レールの第３の実施の形態を示す拡大断面図である。図１２は（Ａ）は係止部４１をハンガーレール２へ取り付ける際の初期の状態、（Ｂ）は係止途中の状態、（Ｃ）は係止された状態を示す。
【００５１】
図１１及び１２に示すように、弾性体レール１０Ａは、前述の実施形態とは異なり、係止溝２２の上部側と下部側にそれぞれ嵌め込む事ができるように分割されており、上部側と下部側では反転した形状となっている。
そして、ハンガーレール２の底２７及び支持片２５の内側上部には、ストッパー部１００，１０１が設けられており、弾性体レール１０Ａが外れることを防止し、また弾性体レール１０Ａの外周面１０２をハンガーレールの内周面１０３に密着させている。
また、弾性体レール１０Ａの係止片１２には、先端に弾性体レール１０Ａの受止溝１０４の内側に向かって弧状に突出する突片１０５が設けられている。
この突片１０５は、係止片１２の先端部分を基端部とし、他端部を自由端として弧状に突出する。そしてこの弧状の部分が係止部４１の受入れを案内する案内面１０６を形成し、突片１０５と係止片１２との間に突片１０５が移動するための空隙となる移動代１０７を形成する。また突片１０５の先端は係止部４１の抜け出るのを防止する抜け止め面１０８となる。
また、この突片１０５は、弾性体レール１０Ａよりも高弾性力の素材から構成される。
【００５２】
係止部４１を取り付ける際には、第１の実施の形態と同様に、まず、図１２（Ａ）に示すように棚４の表面側が高くなる方向に少し傾けた状態で、係止部４１の係止突部４３を受止溝１０４内に挿入し、係止部４１を中心として、矢印方向に回転させる。
次に、図１２（Ｂ）に示すように、係止突部４３を下方（図の矢印方向）に押し込むと、移動代１０７があることにより突片１０５が係止片１２側に撓む。このとき、案内面１０６は、係止突部４３が下方に移動するのを案内する。
そして、図１２（Ｃ）に示すように、係止突部４３を突片１０５よりも下方へ挿入し、係止部４１と支持片２５の先端との上下方向の隙間がなくなるまで下げることにより取り付けが完了する。このとき、弾性体レール１０Ａの側部１５と係止部４１の先端面４４との間には空隙１０９が形成される。
こうして係止突部４３が突片１０５よりも下方へ挿入されると、突片１０５を係止片１２側へ押す力が解除されるので、突片１０５は弾性復帰して元の位置に戻り、且つ係止部４１の先端の外側面１１０を弾性体レール１０Ａの内側面１１１に押し付けることになる。
【００５３】
このようにして取り付けられた棚４等の機能部品に下方からの力が作用しても、図１２（Ｂ）の状態まで僅かに上方にずれるだけで、係止突部４３が突片１０５に引っ掛かるため容易に外れることはない。
また、突片１０５は、係止部４１を取り付けた状態において係止部４１の外側面１１０を弾性体レール１０Ａの内側面１１１に押し付けるため、棚４のガタつきを防止することができる。そして、この突片１０５は、弾性体レール１０Ａよりも高弾性力の素材から構成しているため、係止部４１の着脱の際に割れることがない。
さらに、突片１０５が撓むことにより係止部４１の着脱ができるので、係止片１２と支持片２５との間に空隙２０を設ける必要がない。
また、係止部４１の先端面４４と弾性体レール１０Ａの側部１５との間に形成された空隙１０９は、係止部４１を下方に強く押し付けたときの逃げ空間となる。
さらに、弾性体レール１０Ａを分割したことにより、ハンガーレール２の係止溝２２の幅（図の上下方向の幅）が異なる場合であっても、弾性体レール１０Ａを取り付けることができる。
【００５４】
図１３は、第３の実施の形態の弾性体レール１０Ａを分割しない場合を示す拡大断面図である。
図１３に示すように、突片１０５を設けた弾性体レール１０Ａは、第１，第２の実施の形態同様に分割しないものとしてもよく、その場合にはストッパー部１００，１０１を設ける必要はない。
【００５５】
図１４は、様々な機能部品が取り付けられた壁面用ハンガーレールシステム１の例を示す。図４で示した棚４や天板５の他、例えばロールペーパーホルダ９１、フック９２、本棚９３、小物用ボックス９４、鏡９５、大型の棚９６等、多種多様な部品を取り付けることができる。本発明は、機能部品に荷重がかかったり下方からの衝撃力が作用しても極めて外れにくい構造であり、幅広い用途の機能部品を取り付けて用いることができる。尚、機能部品を使用する際にかかる荷重が小さい場合や機能部品自体が軽量の場合には、図６に示すように、係止部のみによって支持された状態で使用することができる。このように様々な機能部品を取り付けることにより、玄関や台所、脱衣所等、あらゆる場所に設置して利用することができる。
【００５６】
尚、図１４に示すように、支持ブラケット３は、ハンガーレール２の長さや取り付ける機能部品の種類等に応じて、適宜間隔で複数設けられる。また、ハンガーレール２の左右両端には、端部カバー２９を取り付けて、ハンガーレール２の中央係止溝２１及び係止溝２２の露出により外観が損なわれるのを防ぐ。図１５は、端部カバー２９の例を示す。端部カバー２９は、ハンガーレール２端部の外周を覆うケーシング２９１と、中央係止溝２１に挿入される栓部２９２を備える。尚、栓部２９２は図１５に示す形状に限らず、例えば栓部を設けずに外側のケーシング２９１だけでもよい。
【産業上の利用可能性】
【００５７】
本発明に係る壁面用ハンガーレール構造は、屋内、屋外に関わらず壁面に施工することができる。また、大きさ等を変更することにより、広範な規模に適用させることができる。
【図面の簡単な説明】
【００５８】
【図１】本発明に係る壁面用ハンガーレールユニットを示す分解縦断面図。
【図２】図１の棚４及び天板５を取り付ける第一の手順を示す説明図。
【図３】図２に続く手順を示す説明図。
【図４】本発明の第１の実施の形態を示す縦断面図。
【図５】図２のＡ部の拡大図。
【図６】図３のＢ部の拡大図。
【図７】図４のＣ部の拡大図。
【図８】本発明の異なる使用例を示す縦断面図。
【図９】本発明の更に異なる使用例を示す縦断面図。
【図１０】本発明の第２の実施の形態を示す拡大縦断面図。
【図１１】本発明の第３の実施の形態を示す拡大縦断面図。
【図１２】本発明の第３の実施の形態に機能部品を取り付ける手順を示す拡大縦断面図。
【図１３】本発明の第３の実施の形態を示す拡大縦断面図。
【図１４】本発明の使用例を示す斜視図。
【図１５】端部カバーの例を示す斜視図。
【符号の説明】
【００５９】
１      ハンガーレールユニット
２      ハンガーレール
３      支持ブラケット
４      棚
５      天板
７      コードクリップ
８      機能物品
９      壁面
１０，１０Ａ  弾性体レール
１１    底面
１２    係止片
１３    係止突起
１３ａ  傾斜案内面
１３ｂ  抜け止め面
１４    小突条
１５    側部
１６    弾性片
１７    受面
２０    空隙
２１    中央係止溝
２２    係止溝
２３    抜止片
２４，２５  支持片
２７    底
２８    受溝
２９    端部カバー
３１    ブラケット本体
３２    基面
３３    支柱部
３４，３６，６１  突部
３５    係止板
３７    ねじ部材
３８    カバー
３９    ねじ
４１，５１，７１，８１  係止部
４２，８２  立ち上がり部
４３，５３，８３  係止突部
４４，８４  先端面
４５    小突起
４７，５７  背面部
４８，６２  棚面
５５    台座部
５６    板部
７３    コード支持部
９１    ロールペーパーホルダ
９２    フック
９３    本棚
９４    小物ボックス
９５    鏡
９６    大型の棚
１００，１０１  ストッパー部
１０２  外周面
１０３  内周面
１０４  受止溝
１０５  突片
１０６  案内面
１０７  移動代
１０８  抜け止め面
１０９  空隙
１１０  外側面
１１１  内側面
２９１  ケーシング
２９２  栓部
【図１】
2008307358.tif 000003
【図２】
2008307358.tif 000004
【図３】
2008307358.tif 000005
【図４】
2008307358.tif 000006
【図５】
2008307358.tif 000007
【図６】
2008307358.tif 000008
【図７】
2008307358.tif 000009
【図８】
2008307358.tif 000010
【図９】
2008307358.tif 000011
【図１０】
2008307358.tif 000012
【図１１】
2008307358.tif 000013
【図１２】
2008307358.tif 000014
【図１３】
2008307358.tif 000015
【図１４】
2008307358.tif 000016
【図１５】
2008307358.tif 000017